(57)【特許請求の範囲】
【請求項１】
下面に雌ねじを有する直方体状の筐体と、
この筐体の前記下面と隣接する一面に取り付けられた輪状のひもと前記ひもの２箇所を挟持する挟持部と、を具備したクランプ部材と、
を有するビデオムービーであって、
前記挟持部は、
前記ひもが挿通され、この挿通されたひもを挟持可能な貫通孔を有すると共に、前記貫通孔の穿設方向と概ね直交する方向に所定の長さで形成された本体部と、
前記直交する方向に軸を有して前記雌ねじと螺合する雄ねじが形成されると共に前記本体部を前記軸の回りに回動自由に支持する基部と、を備え、
前記雄ねじを前記雌ねじに螺合した状態において、
前記挟持部は、前記ひもの２箇所を該ひもの任意の位置で挟持可能であると共に、挟持された前記ひもの挿通方向を前記筐体に対して前記軸の回りの任意の方向にすることが可能であり、
前記所定の長さは、当該ビデオムービーを把持した際に、少なくとも小指がかかる長さであることを特徴とするビデオムービー。
【請求項２】
前記雌ねじは三脚用の雌ねじであることを特徴とする請求項１記載のビデオムービー。
【発明の詳細な説明】
【０００１】
【発明の属する技術分野】
本発明は、携帯型のビデオムービーに関するものである。
【０００２】
【従来の技術】
被写体を記録・再生する携帯型のビデオムービーは、その多機能性を有しているがゆえに各種用途に用いられていることは周知の通りであり、広く世界中で使用されているものである。ところで、従来のビデオムービーは、例えば、特開平６−９８２１０号公報、特開平８−２３７５２７号公報等に示される如く、被写体の方向に向かって横方向に延在した構造及び被写体の方向に向かって縦方向に延在した構造を採っている。
【０００３】
ここで、前記した特開平６-９８２１０号公報、特開平８-２３７５２７号公報等において開示されたビデオムービーについて、簡単に説明する。まず、特開平６-９８２１０号公報のビデオムービーから説明する。
【０００４】
この公報記載の技術は、従来のモニタ付きカメラ一体型ＶＴＲは、ＶＴＲ部と、モニタ部とを横並び状態（モニタ部の底面にＶＴＲ部を合わせた状態）で一体化し、このように一体化されて細長い直方体状となったモニタＶＴＲ部の長辺部の側面に対してカメラ部を回動自在に保持した構成をとっている。
【０００５】
また、この従来のモニタ付きカメラ一体型ＶＴＲは、撮影者が自らを被写体として撮影録画するといった対面撮影の状況が一切考慮されておらず、仮にそのような状況で使用した場合においては、モニタ部に映し出された被写体画像が上下に反転して倒立像となってしまうことになり、対面撮影に関しては、全く実用にならないものとなる。
【０００６】
そこで、この特開平６-９８２１０号公報では、例えば、撮影者が自らを被写体として撮影録画する場合などにおいても、不具合のない状態で撮影録画できるようにしたり、また、ある程度大きな表示画面サイズを有する液晶表示装置等のモニタ部を用いるようにしながら、充分な小型化を達成することが出来るようにするために、テープカセットを装脱着可能なＶＴＲ部と液晶表示装置等からなるモニタ部とを一体化してなるモニタ・ＶＴＲ部と、前記モニタ・ＶＴＲ部に回転機構を介して相対回動自在に取り付けたカメラ部と、前記モニタ部における表示画像を上下反転させる反転手段とを備えることにより解決を図っている。
【０００８】
一方、特開平８-２３７５２７号公報記載の技術は、ビデオムービーとして撮影に必要な全ての部品を装備した使用時の大きさ、すなわち、電池の部分も含めた全体が実質的なカメラの大きさになることに着目し、全体としての有機的結合をもって小型化し、かつ液晶表示手段を大きく出来るようにするために、ビューファインダーの下部に電池収納部を設け、この電池収納部の側面にまで延長して開閉及び回転自在な液晶表示手段を設けることにより解決を図っている。
【０００９】
この特開平８−２３７５２７号公報記載のビデオムービーは、基本的には、被写体の方向に向かって縦方向に延在した構造を採っている。すなわち、液晶表示手段は、撮影時の目視及び再生時に大きく良く見えるようにするために、ビューファインダーの下部の、電池収納部の側面にまで延長して開閉及び回転自在に構成しているものである。
【００１１】
【発明が解決しようとする課題】
本発明は、クランプ部材を取り付けてなるビデオムービーであって、このクランプ部材に多機能性を持たせ、また、片手での支持操作が楽であり、安定度が高く、しかも光軸周りの振れが少ないビデオムービーを提供することを目的とする。
【００１２】
【課題を解決するための手段】
上記の課題を解決するために、本願発明は次の手段を有する。
１）下面に雌ねじを有する直方体状の筐体と、この筐体の前記下面と隣接する一面に取り付けられた輪状のひも（１５）と前記ひも（１５）の２箇所を挟持する挟持部（１）と、を具備したクランプ部材（２０）と、を有するビデオムービー（３０）であって、前記挟持部（１）は、前記ひも（１５）が挿通され、この挿通されたひも（１５）を挟持可能な貫通孔（４）を有すると共に、前記貫通孔（４）の穿設方向と概ね直交する方向に所定の長さ（Ｌ）で形成された本体部（５）と、前記直交する方向に軸を有して前記雌ねじと螺合する雄ねじ（２）が形成されると共に前記本体部（５）を前記軸の回りに回動自由に支持する基部（３）と、を備え、前記雄ねじ（２）を前記雌ねじに螺合した状態において、前記挟持部（１）は、前記ひも（１５）の２箇所を該ひも（１５）の任意の位置で挟持可能であると共に、挟持された前記ひも（１５）の挿通方向を前記筐体に対して前記軸の回りの任意方向にすることが可能であり、
前記所定の長さ（Ｌ）は、当該ビデオムービー（３０）を把持した際に、少なくとも小指がかかる長さであることを特徴とするビデオムービー（３０）である。
２）前記雌ねじは三脚用の雌ねじであることを特徴とする１）記載のビデオムービー（３０）である。
【００１３】
【発明の実施の形態】
以下、本発明の好適な一実施例を添付図面に基づいて説明する。なお、以下に述べる実施例は本発明の好適な具体例であるから、技術的に好ましい種々の限定が付されているが、本発明の範囲は、以下の説明において特に本発明を限定する旨の記載がない限り、これらの態様に限られるものではない。
【００１４】
図１は、本実施例に用いる多目的クランプ部材２０の斜視図、図２は、本実施例における多目的クランプ部材２０を有するビデオムービー３０の全体図、図３は、本実施例に用いる多目的クランパ１の要部説明図、図４は、図２におけるビデオムービー３０の使用説明図である。
【００１５】
図１は、本実施例に用いる多目的クランプ部材２０の斜視図であり、１は、後述する本実施例に用いる多目的クランパ、２は、回転体３の先端に刻設されたネジ部、５は、前記した回転体３と若干の隙間をもって形成されており、略中央部に貫通孔４が設けられた第１の円筒体、１０は、後述する上端部に貫通孔を設けた第３の円筒体、１５はこの多目的クランパ１５に取り付けられた皮ひも（ストラップ）、１６は、後述するビデオムービー３０の一側に設けられた取り付け部に取り付けられる皮ひも１５の先端部、１７は、この皮ひも１５の他端部、１８は、この皮ひも１５の長さを調整するための長さ調整具である。
【００１６】
なお、前記した皮ひも１５の先端部１６及び他端部１７は、輪状に連続的に形成されているものである。また、回転体３の外周には、この回転体３を必要に応じて回転する際、それが回転しやすくなるように、ローレットを予め刻設しておくと使い勝手が良いものである。
【００１７】
図２は、図１の多目的クランプ部材２０が使用されたビデオムービー３０の全体図である。なお、前記したものと同一部分は同一符号を付し、その具体的説明は省略する。図２中、Ｍはビデオムービーであり、このビデオムービーＭの、例えば、下側に設けられた三脚用のネジ孔(図示せず)に、前記した多目的クランパ１を構成する回転体３のネジ部(図示せず)が取り付けられ、かつ、皮ひも１５の先端部１６が、前記した調整具１８により所定の長さに調整され、ビデオムービーＭの一側に設けられた取付け部３１に取り付けられているものである。
【００１８】
なお、この図２では明確に示されてはいないが、ビデオムービーＭは、例えば、ファインダー部を最上部に、各種操作部をその下部に、最下部にバッテリというように縦方向に各種部材が配置され、前記した如く、ポケットサイズに構成されているものである。
【００１９】
図３は、多目的クランプ部材２０を構成する多目的クランパ１の要部説明図で、（ａ）は縦断面図、（ｂ）は正面図、（ｃ）は側面図である。なお、これまた前記したものと同一部分は同一符号を付し、その具体的説明は省略する。図３中、６は、第１の円筒体５と回転体３との間に設けられた抜け防止部材、７は、前記した第１の円筒体５に内装される第２の円筒体８に設けられた貫通孔、１１は、前記した第２の円筒体８の内側面と前記した第３の円筒体１０の外側面との間に設けられたバネ部材、１２は、前記した第３の円筒体１０に一体的に形成された突出部、１３は、この突出部１２と連接している凹部である。
【００２０】
次に、本実施例に用いる多目的クランパ１の各部の詳細な構造について、動作説明を含め、図１〜図４を併せ参照して説明する。なお、以下の説明においては、多目的クランプ部材２０がビデオムービーＭに取付けられているという前提で説明するものとする。まず、皮ひも（ストラップ）から説明する。
【００２１】
この種のビデオムービーＭにあって、皮ひも（ストラップ）を使用する例は枚挙にいとまないものであるが、その長さを所定のものとし、必要に応じて長くしたり、短くしたりすることにより、使い勝手を格段に向上させたものはなかった。本実施例に沿ってその点を説明すると、ストラップ１５の長さは、人により手のひらの大きさが千差万別なので特定は出来ないが、長さ調整具１８を調整することにより、丁度手のひらに２周り程度の巻回した形にすると、ハンドグリップとして使用することが出来るので、その分小型化、薄型化が図れると共に併せてコストダウンが図れてすこぶる便利である。
【００２２】
また、このストラップ１５により、ビデオムービーＭは手のひらの中にしっかりと固定されるので、カメラの光軸振れ等の虞もない。更に、ネジ部２をビデオムービーＭから外して、このビデオムービーＭとの固定状態を脱すると（この場合、ストラップ１５の先端部１６は、ビデオムービーＭの取り付け部３１に取付けられている）、ストラップ１５の他端部１７は、ショルダーベルトとして使用できる。そして、このショルダーベルトとしての使用に際しては、当然の如くビデオムービーＭは、例えば、ワイシャツのポケット部に収納されるので、すこぶる携帯性に優れている。また、ショルダーベルトとしての使用の場合も、身長差に応じて、長さ調整具１８によりその調整がされるものであることは勿論である。
【００２３】
次に、回転体３について説明する。前記した如く、回転体３は、第１の円筒体５との間に若干の隙間が設けられ、かつ、両者の間には抜け防止部材６が設けてあることにより、この回転体３は第１の円筒体５との間で自由に回転可能である。従って、図４の如く、例えば、右利きの人が使う場合でもそれは自由に使うことが出来、また、左利きの人が使う場合にも、簡単に左手に置き換えて自由に使うことができるので、甚だ使い勝手がよいものである。
【００２４】
更に、この回転体３を中心にして、垂直方向、水平方向に回動することが出来るので、あらゆる角度からの被写体に対する撮像を行なうことが可能となる。
【００２５】
また、貫通孔４，７，９の大きさは略同程度とし、例えばストラップ１５の太さの２倍程度にすればその出し入れが比較的スムースに行くものである。このことは、図３の状態で第３の円筒体１０をバネ１１の押圧力に抗して押し上げて、各貫通孔４，７，９が一直線になった状態で、例えば、ストラップ１５の他端部１７を先頭にして貫通孔４内に挿入すれば、それは比較的スムースに挿通することが出来、貫通孔９を通過して所望の長さになったところで、第３の円筒体１０への押圧力を解けば、ストラップ１５はバネ１１の押圧力により、図３の状態に復帰してこのストラップ１５は貫通孔内にしっかりと固定されるものである。
【００２６】
更に、第１の円筒体５のグリップ方向の長さＬは、大略、指２本が入る寸法（例えば、中指と人差し指）が望ましく、また、ビデオムービーＭを把持した際に、丁度小指が第３の円筒体１０の凹部１３内にかかるような寸法に設定されていると甚だ使い勝手が良い。
【００２８】
【発明の効果】
本発明によれば、ビデオムービーのクランプ部材は、ハンドグリップとしての機能を有すると共にショルダーベルトとしての機能も有する多機能性部品であり、このクランプ部材において、第１の保持部であるクランパと第２の保持部である長さ調整具とにより、そのひもの長さを所望の長さに調整できると共に、このひもを手のひらに巻回させることにより、ビデオムービーを手のひらの中にしっかりと固定できるので、片手での支持操作が可能であり、光軸振れ等の虞もないという効果を奏する。
また、クランパにおける本体部である第１の円筒体は基部である回転体に対して自由に回転可能であるため、ビデオムービーを右手、左手、いずれの手に置き換えても保持できるという効果を奏する。
【図面の簡単な説明】
【図１】  本発明に用いる多目的クランプ部材の斜視図である。
【図２】  多目的クランプ部材が使用されたビデオムービーの全体図である。
【図３】  本発明に用いる多目的クランパの要部説明図である。
【図４】  図２の使用説明図である。
【図１】
0003770085.tif 000002
【図２】
0003770085.tif 000003
【図３】
0003770085.tif 000004
【図４】
0003770085.tif 000005